(57)【要約】【課題】ショッピングバッグ等の手提げ袋に簡単に取り付けることができ、外れにくい構造で、蓋としての機能と、造形美を備えた手提げ袋用装飾カバーを提供する。【解決手段】手提げ袋用装飾カバー１は、皮革又は合成皮革又は布からなり、手提げ袋２の一面側２１に取り付けられる背面部１１と、背面部１１に連続して形成され、手提げ袋２の他面側２２に取り付けられる正面部１２からなり、背面部１１の裏面には取り付け手段が備えられ、正面部１２の表面には装飾部材が備えられ、背面部１１と正面部１２の間に、手提げ袋２の持ち手部分である紐２０を通す挿通口１０が設けられ、背面部１１又は正面部１２は、挿通口１０を通る仮想線Ｌ１で折り曲げられ、手提げ袋２を挟んで重なり合い、挿通口１０に紐２０が通され、挿通口１０が手提げ袋２の上部の開口部に位置するように取り付けられる。【選択図】図５
0003227451.tif 000002
【実用新案登録請求の範囲】
【請求項１】
皮革又は合成皮革又は布からなる手提げ袋用装飾カバーであって、
前記手提げ袋用装飾カバーは、手提げ袋の一面側に取り付けられる背面部と、前記背面部に連続して形成され、前記手提げ袋の他面側に取り付けられる正面部からなり、
前記背面部の裏面には取り付け手段が備えられ、
前記正面部の表面には装飾部材が備えられ、
前記背面部と前記正面部の間に、前記手提げ袋の持ち手部分である紐を通す挿通口が設けられ、
前記背面部又は正面部は、前記挿通口を通る仮想線で折り曲げられ、前記手提げ袋を挟んで重なり合い、前記挿通口に前記紐が通され、前記挿通口が前記手提げ袋の上部の開口部に位置するように取り付けられることを特徴とする手提げ袋用装飾カバー。
【請求項２】
請求項１に記載の手提げ袋用装飾カバーであって、前記装飾部材は、金属製のバックルと、皮革又は合成皮革のベルトから構成されることを特徴とする手提げ袋用装飾カバー。
【請求項３】
請求項１又は２に記載の手提げ袋用装飾カバーであって、前記挿通口の形状は楕円形であることを特徴とする手提げ袋用装飾カバー。
【考案の詳細な説明】
【技術分野】
【０００１】
本考案は、ショッピングバッグ等に取り付けて、装飾することができる手提げ袋用装飾カバーに関する。
【背景技術】
【０００２】
百貨店やブランドショップ、カフェなどの店で使用されているショッピングバッグは、独特なデザインが施されたものが多く、最近では洗練されたデザインが施されたものが増えている。ショッピングバッグは、百貨店等で顧客が購入した商品を入れて引き渡すときに使用され、使い捨てバッグとして意図されているものもあるが、デザインが良く、軽くて壊れにくい構造のものは、再利用されることも多い。例えば、洋服に合うハンドバッグがないときに、ハンドバッグ代わりに利用したり、友人等に贈り物を渡すときに百貨店のショッピングバッグに入れて、包装紙や風呂敷の代わりにしたり、ハンドバッグに荷物が入りきらないときに第２のハンドバッグとして利用するなど様々な場面で利用される。
【０００３】
ショッピングバッグは、このように様々な場面で利用されるが、その多くが紙製で蓋のない態様であるため、ラミネート加工を施して耐久性を高める工夫や、蓋を着ける工夫などがされている。例えば特許文献１には、様々な袋物に容易に取り付けて蓋として使用することが可能なシート状の蓋体が開示されている。それによると、スリのような犯罪の被害にあうリスクを低減し、かつ、雨天時にも袋物に収めた物品が水濡れすることを防止できるとされている。
【０００４】
また、特許文献２には、手提げ袋の上部に位置した開口部を密着させてその外側に装着する手提げ袋用蓋が開示されている。それによると、手提げ袋の開口部が蓋で覆われて密着しているため、雨天時でも内部の水濡れを防止でき、冷凍食品を収容した場合にも、内部冷気が開口部から外部に逃げるのを防止できるとされている。
【先行技術文献】
【特許文献】
【０００５】
【特許文献１】実用新案登録第３１８２１５３号公報
【特許文献２】意匠登録第１３８８５５９号公報
【考案の概要】
【考案が解決しようとする課題】
【０００６】
特許文献１と特許文献２のシート状の蓋は、ショッピングバッグ等に取り付けて使用でき、雨天時における袋内の水濡れ防止や、密閉、盗難防止が可能であるが、シート状のため、軽く、風などで外れやすくなる。そのため、より外れにくい構造の蓋が望まれる。また、デザインの観点から見ると、紙袋にシート状の蓋を被せたという印象を与えるため、ハンドバッグ代わりに使用するためには、さらに趣向を凝らしたデザインが望まれる。
【０００７】
本考案は、上記課題に鑑み、ショッピングバッグ等の手提げ袋に簡単に取り付けることができ、外れにくい構造で、蓋としての機能と、造形美を備えた手提げ袋用装飾カバーを提供することを目的とする。
【課題を解決するための手段】
【０００８】
上記目的を達成するため、請求項１に記載の考案は、皮革又は合成皮革又は布からなる手提げ袋用装飾カバーであって、前記手提げ袋用装飾カバーは、手提げ袋の一面側に取り付けられる背面部と、前記背面部に連続して形成され、前記手提げ袋の他面側に取り付けられる正面部からなり、前記背面部の裏面には取り付け手段が備えられ、前記正面部の表面には装飾部材が備えられ、前記背面部と前記正面部の間に、前記手提げ袋の持ち手部分である紐を通す挿通口が設けられ、前記背面部又は正面部は、前記挿通口を通る仮想線で折り曲げられ、前記手提げ袋を挟んで重なり合い、前記挿通口に前記紐が通され、前記挿通口が前記手提げ袋の上部の開口部に位置するように取り付けられることを特徴とする手提げ袋用装飾カバーである。
請求項２に記載の考案は、請求項１に記載の手提げ袋用装飾カバーであって、前記装飾部材は、金属製のバックルと、皮革又は合成皮革のベルトから構成されることを特徴とする。
請求項３に記載の考案は、請求項１又は２に記載の手提げ袋用装飾カバーであって、前記挿通口の形状は楕円形であることを特徴とする。
【考案の効果】
【０００９】
本考案の手提げ袋用装飾カバーは、ショッピングバッグ等の手提げ袋に簡単に取り付けることができ、外れにくい構造で、蓋としての機能と、造形美を備えているため、手提げ袋に取り付けることで、手提げ袋をハンドバッグ代わりに使用することができる。
【図面の簡単な説明】
【００１０】
【図１】本考案の一実施形態における手提げ袋用装飾カバーの表面を示す平面図である。
【図２】図１の手提げ袋用装飾カバーの裏面を示す平面図である。
【図３】図１の手提げ袋用装飾カバーの裏面の変形例を示す平面図である。
【図４】図１の手提げ袋用装飾カバーを手提げ袋に取り付けている途中の状態を示す平面図である。
【図５】図１の手提げ袋用装飾カバーを手提げ袋に取り付けた状態を示す前方からの斜視図である。
【図６】図１の手提げ袋用装飾カバーを手提げ袋に取り付けた状態を示す後方からの斜視図である。
【考案を実施するための形態】
【００１１】
以下、本考案の実施形態（以下、実施例と記す）を、図面に基づいて説明する。なお、以下の図において、共通する部分には同一の符号を付しており、同一符号の部分に対して重複した説明を省略する。
【００１２】
［手提げ袋用装飾カバー１の構成］
まず、本考案の一実施例に係る手提げ袋用装飾カバー１の構成について、図１、２を参照して詳しく説明する。図１は、手提げ袋用装飾カバー１の表面を示す平面図であり、図２は、その裏面を示す平面図である。また、図３は、図１の手提げ袋用装飾カバーの裏面の変形例を示す平面図である。手提げ袋用装飾カバー１は、手提げ袋の一面側に取り付けられる背面部１１と、背面部１１に連続して形成され、手提げ袋の他面側に取り付けられる正面部１２から構成される。
【００１３】
背面部１１と正面部１２の間に、手提げ袋の持ち手部分である紐を通す挿通口１０が設けられている。背面部１１又は正面部１２は、挿通口１０を通る仮想線Ｌ１で折り曲げられ、手提げ袋を挟んで重なり合い、挿通口１０に手提げ袋の紐が通され、挿通口１０が手提げ袋の上部の開口部に位置するように、手提げ袋用装飾カバー１が手提げ袋に取り付けられる。
【００１４】
手提げ袋用装飾カバー１の素材は、皮革又は合成皮革又は布であれば、いかなるものでもよいが、耐久性が高く、折り曲げやすい素材が好ましく、厚さ１〜２ｍｍ程の素材を使用する。本実施例では、手提げ袋用装飾カバー１に皮革のシートを使用する。手提げ袋用装飾カバー１を、フォーマルバッグに使用されるような皮革又は合成皮革で製造すれば、カジュアルな印象の紙製の手提げ袋にも、フォーマルな印象を加えることができる。手提げ袋用装飾カバー１の色や質感は、特に限定されず、好みの色と質感の素材を使用することができる。例えば、華やかな印象を与える光沢のある素材や、落ちついた印象を与えるマット素材を使用することができる。また、手提げ袋用装飾カバー１に黒や赤など比較的濃い色を使用すると、よりフォーマルな印象を加えることができる。本実施例では、黒色のマット素材の手提げ袋用装飾カバー１を使用する。
【００１５】
手提げ袋用装飾カバー１は、取り付けたい手提げ袋の寸法に合わせて製造する。例えば、正面幅が２００ｍｍ、高さが２１０ｍｍの手提げ袋に、手提げ袋用装飾カバー１を取り付ける場合には、手提げ袋用装飾カバー１の寸法は、それに合うように横幅２００ｍｍ程、縦幅２００ｍｍ程とすることができる。手提げ袋用装飾カバー１の寸法は、これに限定されず、好みの寸法にすることができるが、横幅を手提げ袋の正面幅と合わせると、手提げ袋の蓋代わりになる。
【００１６】
挿通口１０の寸法も取り付けたい手提げ袋の紐の取り付け幅に合わせて設けられる。例えば、紐の取り付け幅が約８０ｍｍの場合、挿通口１０の寸法はそれより少し余裕を設け、横幅を１０５ｍｍ、縦幅を２５ｍｍ程とすることができる。また、本実施例では、図１〜３に示すように、挿通口１０の形状を楕円形で形成している。挿通口１０を角の取れた丸みのある楕円形で形成することで、手提げ袋の紐を通しやすく、また、丸みのある優しい印象を与えることができる。挿通口１０の寸法や形状は、これに限定されず、好みの寸法と形状にすることができる。
【００１７】
正面部１２は、通常のバッグのかぶせ（フラップとも言う）に該当する。図１に示すように、本実施例の正面部１２の先端部は丸みを帯びた台形の形状であるが、正面部１２の形状はこれに限定されず、いかなる形状（例えば、長方形、正方形、半円）でもよい。バッグのかぶせには、装飾が施されていることが多いが、本実施例の手提げ袋用装飾カバー１においても、正面部１２の表面に装飾部材が備えられている。
【００１８】
正面部１２の装飾部材は、貴金属の飾りや皮革又は合成皮革で作成したリボンやタッセル、ビーズや宝石類の飾りなどいかなるものでもよいが、手提げ袋用装飾カバー１が、風などで手提げ袋から外れないように、ある程度の重さがあることが好ましい。本実施例の装飾部材は、図１に示すように、金属製のバックル１５と、皮革のベルト１４から構成される。このような装飾部材を付けることで、通常のハンドバッグ等に施されるいわゆるバックルデザインと同様に、お洒落な印象を与えることができる。特に、皮革のベルト１４は手提げ袋用装飾カバー１と同じ素材を使用し、ゴールドのバックル１５を使用することで、フォーマルかつ華やかな印象を与えることができる。更に、金属製のバックル１５と皮革のベルト１４が、重りの役目を果たし、手提げ袋用装飾カバー１が手提げ袋から外れるのを防止することができる。
【００１９】
なお、本実施例では、手提げ袋用装飾カバー１の背面部１１の表面にも、金色のボタン１３が２つ付いている。金色のボタン１３は、装飾のために付けたものであり、ボタンとして機能するものではないが、正面部１２の金色のバックル１５と皮革のベルト１４と共に付けることで、全体として調和し、お洒落な印象を与えることができる。背面部１１の装飾具はボタンに限定されず、いかなるものでもよく、また、取り付けなくてもよい。
【００２０】
また、手提げ袋用装飾カバー１の背面部１１の裏面には、手提げ袋に取り付けるための取り付け手段が備えられている。通常、手提げ袋用装飾カバー１の正面部１２が、手提げ袋の表正面側（他面側）に見えるように、背面部１１を手提げ袋の裏正面側（一面側）に取り付けるが、表正面側と裏正面側の区別がつかない手提げ袋の場合には、どちらに取り付けてもよい。なお、一般に手提げ袋は、畳んだ時に全面が見える方が表正面側、底マチ（底フラップ）を折り返す方が裏正面側とされている。本実施例では、手提げ袋用装飾カバー１の背面部１１を手提げ袋の裏正面側に取り付ける。
【００２１】
図２は、手提げ袋用装飾カバー１の裏面を示す平面図であるが、図２に示すように、背面部１１の裏面には取り付け手段として両面テープ１６が付けられている。取り付け手段は、両面テープ１６に限定されず、ピンやボタン、磁石を使用する方法など、いかなる手段でもよい。背面部１１の裏面の両面テープ１６により、簡単に手提げ袋に取り付けることができ、かつ、軽量である。また、手提げ袋から手提げ袋用装飾カバー１を取り外すことも容易である。さらに、両面テープ１６の粘着力が弱くなった場合には、容易に取り替え可能であり、コストもあまりかからないという利点がある。
【００２２】
図３は、手提げ袋用装飾カバー１の裏面の変形例を示す平面図であるが、図２の背面部１１の取り付け手段を変更したものである。図３に示すように、背面部１１の裏面には取り付け手段として横幅のあるピン１７を左右に２本使用している。ピン１７は、横幅が４ｍｍ、全長が６ｍｍ程の幅広ピンを使用しているため、バネ性があり、しっかりと物を挟むことができる。
【００２３】
図３に示すように、ピン１７は、一つの先端部（長い方）が布１８で覆われて押さえられ、もう一方の先端部（短い方）が出るように固定されている。布１８には、手提げ袋用装飾カバー１と同様の素材を使用することができる。また、布１８は背面部１１の裏面に縫い付けられているため、表面からは見えず、表面のデザインに影響を与えない。手提げ袋用装飾カバー１を手提げ袋に取り付ける際には、ピン１７の先端部１７１を広げ、手提げ袋の開口部付近の裏正面側をピン１７で挟んで取り付ける。ピン１７を使用することで、両面テープ１６よりも、しっかりと安定して手提げ袋用装飾カバー１を手提げ袋に取り付けることができる。また、ピン１７の先端部１７１を広げることで、手提げ袋用装飾カバー１の取り外しも容易である。
【００２４】
以上のように、本実施例の手提げ袋用装飾カバー１は構成されるが、本考案の手提げ袋用装飾カバー１の構成はこれに限定されない。例えば、正面部１２の表面に軽い装飾具を付けて、裏面に取り付け手段（例えば両面テープ）を付ける構成としてもよいし、背面部１１に重りとしての装飾具を付けてもよい。
【００２５】
［手提げ袋用装飾カバー１の使用方法］
次に手提げ袋用装飾カバー１の使用方法について、図４〜６を参照して説明する。図４は、手提げ袋用装飾カバー１を手提げ袋２に取り付けている途中の状態を示す平面図である。図５は、手提げ袋用装飾カバー１を手提げ袋２に取り付けた状態を示す前方からの斜視図であり、図６は、後方からの斜視図である。
【００２６】
図４に示すように、本実施例では、表正面側２２と裏正面側２１の区別がついている手提げ袋２に手提げ袋用装飾カバー１を取り付ける。前述のように、手提げ袋２を畳んだ時に底マチ（底フラップ）２３を折り返す方が裏正面側２１である。まず、手提げ袋２の裏正面側２１に手提げ袋用装飾カバー１の背面部１１を当て、背面部１１を取り付ける位置を調整する。その際、手提げ袋用装飾カバー１の挿通口１０に手提げ袋２の持ち手部分である紐２０を通し、挿通口１０が手提げ袋２の上部の開口部に位置するように、背面部１１を動かす。なお、手提げ袋２の持ち手部分である紐２０は、本実施例では紐状であるが、挿通口１０を通るものであれば、紐はいかなる形状（例えば幅広のテープ状の紐）でもよい。
【００２７】
背面部１１の位置が定まったら、背面部１１の裏面の取り付け手段を使用して、手提げ袋２の裏正面側２１に手提げ袋用装飾カバー１を取り付ける。手提げ袋２の表正面側２２と裏正面側２１の区別がつかない手提げ袋の場合には、どちらに取り付けてもよい。背面部１１の裏面の取り付け手段が、例えば両面テープ１６の場合には、両面テープ１６を剥がして裏正面側２１に取り付け、取り付け手段がピン１７の場合には、ピン１７を裏正面側２１に挟んで取り付ける。
【００２８】
背面部１１を裏正面側２１に取り付けた後、挿通口１０を通る仮想線Ｌ１で背面部１１又は正面部１２を折り曲げると、図５、６に示すように背面部１１と正面部１２が手提げ袋２を挟んで重なり合う。正面部１２の位置が手提げ袋２の表正面側２２の取り付けたい位置からずれていた場合には、再度、背面部１１の位置を調整して手提げ袋２の裏正面側２１に取り付ける。このようにして、手提げ袋用装飾カバー１を手提げ袋２に取り付けることができる。
【００２９】
なお、図５、６に示すように手提げ袋用装飾カバー１を手提げ袋２に取り付けた状態において、手提げ袋用装飾カバー１は手提げ袋２の開口部を完全に覆うものではなく、完全な蓋ではない。しかし、手提げ袋用装飾カバー１は、開口部の紐２０の両側部分を覆っており、背面部１１を手提げ袋２に固定し、表面部１２を装飾部材の重りで押さえているため、手提げ袋２の開口部が閉じた状態を保持できる。それにより、手提げ袋用装飾カバー１は蓋としての機能を有し、スリのような盗難の被害にあうリスクを減らし、雨天時における袋内の水濡れのリスクを減らすことができる。
【００３０】
以上、説明したように、本考案の手提げ袋用装飾カバーは、ショッピングバッグ等の手提げ袋に簡単に取り付けることができ、外れにくい構造で、蓋としての機能と、造形美を備えている。そのため、手提げ袋用装飾カバーを手提げ袋に取り付けて、手提げ袋をハンドバッグ代わりに使用することができる。
【００３１】
なお、上述した手提げ袋用装飾カバーは一例であり、その構成は、考案の趣旨を逸脱しない範囲で、適宜変更可能である。
【符号の説明】
【００３２】
１      手提げ袋用装飾カバー
２      手提げ袋
１０    挿通口
１１    背面部
１２    正面部
１３    ボタン
１４    皮革のベルト
１５    バックル
１６    両面テープ
１７    ピン
１８    布
２０    紐
２１    裏正面側（一面側）
２２    表正面側（他面側）
２３    底マチ（底フラップ）
１７１  ピンの先端部
Ｌ１    仮想線
【図１】
0003227451.tif 000003
【図２】
0003227451.tif 000004
【図３】
0003227451.tif 000005
【図４】
0003227451.tif 000006
【図５】
0003227451.tif 000007
【図６】
0003227451.tif 000008